(57)【要約】【課題】手すり材と連結杆との接続を専用の部品を多数製作することなく容易なものとし、外観美麗な合成樹脂被覆手すりの提供を課題とする。【解決手段】手すり材１の連結杆２との接続部に、底面に平坦部１５を有する係合部材挿通孔１３を設け、接続部材３の対応する位置に周辺に平坦部３４を有する固定部材挿通孔３３を、それぞれ設け、適宜厚さに調整した厚さの平板部材５の上下面を前記平坦部に当接させることで、容易かつ安定的に連結することができ、また外観上ねじ等も見えず、外観美麗な納まりとする。【選択図】図３
0003141791.tif 000002
【実用新案登録請求の範囲】
【請求項１】
管状の金属製芯材に合成樹脂製の被覆部を被覆してなる手すり材の中間に、接続部材と、係合部材とを介して連結杆をＴ字状に連結してなる合成樹脂被覆手すりにおいて、
前記手すり材には、前記芯材まで貫通する係合部材挿通孔が形成されるとともに、前記被覆部には、底面が平坦状の平坦部が形成されて平板部材が収容される平板部材収容部が設けられ、
前記連結杆には、前記接続部材を嵌入する接続端部の側面にねじ挿通孔が形成され、
前記接続部材は、前記連結杆の接続端部に固定される挿入部と、前記手すり材の連結部分と当接する当接部とよりなり、前記当接部には、固定部材が挿通する固定部材挿通孔が設けられ、前記当接部の前記固定部材挿通孔周辺には平坦部が形成され、
前記係合部材は、前記手すり材の前記係合部材挿通孔を通して前記手すり材の芯材内に挿入されるとともに前記芯材内で脱抜不能に展開するねじ部を有し、
前記平板部材は、前記手すり材の平坦部及び前記接続部材の平坦部との接触面がいずれも平坦状に形成され、固定部材が挿通可能な孔部を有しており、
前記平板部材収容部に前記平板部材を収容して、前記接続部材の前記平坦部側の端部を平坦部同士で当接させて、前記接続部材の挿入部側から固定部材のねじ部を挿通し、前記係合部材の前記ねじ部に螺合固定するとともに、
前記連結杆の前記接続端部に、前記接続部材の挿入部を取付けて、前記連結杆のねじ挿通孔を介して前記接続部材に止めねじにより螺合固定させてなる、
ことを特徴とする、合成樹脂被覆手すり。
【考案の詳細な説明】
【技術分野】
【０００１】
本考案は、樹脂被覆された手すりと、他の手すりや支柱等の連結杆とを安定して連結することができる、手すりの連結装置に関する。
【背景技術】
【０００２】
従来から、洗面台や小便器の側方に手すりを設け、使用者の補助として用いられることが多くなっている。これらの手すりは、洗面台や小便器の両側方に設けた手すりを洗面台や小便器の前面において他の手すりで連結して、使用者がもたれかかることができるようにしたり、手すりにかかる荷重を分散させて強度を保つべく、支柱を立てて床面で支持されるようになっている。
【０００３】
これらの手すりと連結杆（他の手すり、支柱）とを連結する必要があり、これまで様々な構成が取られている。
【０００４】
例えば、特許文献１に記載されるように、先端に設けられたクレビス部に設けられた溝に回転可能に取り付けた可動係止片を有する連結ボルトをパイプ手摺にあけた小孔から挿入して、サポート金具をパイプ手摺に引留められた連結ボルトに外嵌し、サポート金具をナットで締付けてパイプ手摺に固定するようにしたものが見られる。
【０００５】
特許文献１の構成では、固定は容易に行えるが、パイプ手摺が金属等の容易に変形しないものによるものであるから成立するものの、この構成を本考案の如き合成樹脂被覆手すりに適用すると、過度にナットを締め付けた時、合成樹脂の被覆層が経時的に変形して、合成樹脂層の表面に変形が発生することによって取り付けの安定が損なわれたり、大変見栄えの悪いものとなってしまうという問題を有している。
【０００６】
また、特許文献２は、金属製芯材およびその芯材の表面に形成されたタイヤ層を含む手摺材よりなる手摺ユニットを受ける座面を一方の側に、雌嵌込みを他方の側に備える手摺受けと、その手摺材よりなる連結ユニットをその手摺ユニットにＴ字状態に連結可能にするように、その連結ユニットの一端を嵌め合わせ、かつ、その雌嵌込みに嵌め合わせられる雄嵌込みを一端に備えるスリーブと、そのスリーブを嵌め合わせた連結ユニットの一端に嵌め合わせられるねじ受けブロックと、その手摺受けおよび手摺ユニットを貫通するフランジ付きかしめスリーブと、その手摺ユニットおよびかしめスリーブを貫通して、そのねじ受けブロックにねじ込まれ、そのかしめスリーブをかしめ、かつ、その手摺ユニットおよび連結ユニットをＴ字状態に連結するねじとを含む手摺に使用される分割型継手である。
【０００７】
特許文献２では、手摺材の表面にタイヤ層があり、スリーブとタイヤ層とが直接接触した状態で当接するため、前記したようにねじの締め付けにより経時的に接続部が凹み、接続の安定性が損なわれるという問題がある。また、ねじを手摺材の接続部の反対側の貫通孔から挿通する構成のため、この貫通孔を塞ぐ必要があり、手摺材の最も目につく部分に盲キャップが存在し、見栄えに問題を有している。
【特許文献１】特開平１１−１４１０８５号公報
【特許文献２】特公平０２−０１６１２７号公報
【考案の開示】
【考案が解決しようとする課題】
【０００８】
本考案は、上記の問題点を解決すべく、樹脂被覆を有する手すり材と連結杆との接続を安定的且つ外観良好に行うことができる合成樹脂被覆手すりの提供を課題とする。
【課題を解決するための手段】
【０００９】
上記課題を解決すべく、本考案では、請求項１に記載されるように、管状の金属製芯材に合成樹脂製の被覆部を被覆してなる手すり材の中間に、接続部材と、係合部材とを介して連結杆をＴ字状に連結してなる合成樹脂被覆手すりにおいて、前記手すり材には、前記芯材まで貫通する係合部材挿通孔が形成されるとともに、前記被覆部には、底面が平坦状の平坦部が形成されて平板部材が収容される平板部材収容部が設けられ、前記連結杆には、前記接続部材を嵌入する接続端部の側面にねじ挿通孔が形成され、前記接続部材は、前記連結杆の接続端部に固定される挿入部と、前記手すり材の連結部分と当接する当接部とよりなり、前記当接部には、固定部材が挿通する固定部材挿通孔が設けられ、前記当接部の前記固定部材挿通孔周辺には平坦部が形成され、前記係合部材は、前記手すり材の前記係合部材挿通孔を通して前記手すり材の芯材内に挿入されるとともに前記芯材内で脱抜不能に展開するねじ部を有し、前記平板部材は、前記手すり材の平坦部及び前記接続部材の平坦部との接触面がいずれも平坦状に形成され、固定部材が挿通可能な孔部を有しており、前記平板部材収容部に前記平板部材を収容して、前記接続部材の前記平坦部側の端部を平坦部同士で当接させて、前記接続部材の挿入部側から固定部材のねじ部を挿通し、前記係合部材の前記ねじ部に螺合固定するとともに、前記連結杆の前記接続端部に、前記接続部材の挿入部を取付けて、前記連結杆のねじ挿通孔を介して前記接続部材に止めねじにより螺合固定させてなる、ことを特徴とする、合成樹脂被覆手すりを提供する。
【考案の効果】
【００１０】
手すり材と連結杆との連結部において、手すり材の被覆部に平板部材収容部を形成し、手すり材の平坦部及び接続部材の平坦部との接触面を平坦とした平板部材を収容することにより、手すり材と接続部材とを剛体の平坦面同士にて接合させることができ、手すり材の樹脂被覆部を変形させることなく、安定した固定が行える。
【考案を実施するための最良の形態】
【００１１】
本考案を実施するための最良の形態を、以下に記載する。図１は本考案に係る合成樹脂被覆手すりを示す斜視図、図２は手すり材と連結杆との接続部分を示す断面図、図３は手すり材と連結杆の連結部を示す分解斜視図、図４は手すり材と連結杆が連結された状態を示す断面図、図５は手すり材と連結杆が連結された状態を示す斜視図である。
【００１２】
１は手すり材、１１は芯材、１２は被覆部、１３は係合部材挿通孔、１４は平板部材収容部、１５は平坦部、２は連結杆、２１は（手すり材１との）接続端部、２２はねじ挿通孔、３は接続部材、３１は挿入部、３２は当接部、３３は固定部材挿通孔、３４は平坦部、４は係合部材、４１はねじ部、５は平板部材、５１は接触面、５２は孔部、６は固定部材、６１はねじ部、７は止めねじ、Ｃは洗面台を、それぞれ示す。
【実施例１】
【００１３】
実施例１は、図１のＸ部の連結、すなわち連結杆として、手すり材１が連結される形態である。
【００１４】
図２に示すように、手すり材１はアルミやステンレス等の金属よりなる中空棒状の芯材１１と、芯材１１の表面を覆う硬質又は半硬質樹脂よりなる被覆部１２からなり、連結杆２との連結部には、芯材１１を挿通するように設けられる係合部材挿通孔１３と、係合部材挿通孔１３の周囲の被覆部１２を切削するようにして設けられる、平板部材収容部１４が形成される。平板部材収容部１４の底部は、平坦部１５である。
【００１５】
図３及び図４に示すように、手すり材１の連結部に向けて係合部材４を挿入すると、ねじ部４１は回転して手すり材１の外面に向かうように位置される。
【００１６】
更に、平板部材収容部１４内に平板部材５を収容しつつ、接続部材３を手すり材１に当て、固定部材６を固定ボルト挿通孔２２を挿通させて、固定部材６のねじ部６１とねじ部４１とを螺合させることによって固定する。
【００１７】
平板部材収容部１４及び接続部材３には、それぞれ平坦部１５、平坦部３４が形成されているため、平板部材５として、円形平板状をした接触面５１と、中央に孔部５２を有する所謂平座金を使用して、接触面５１を手すり材１の平坦部１５及び接続部材３の平坦部３４と平坦面同士で接合させて、安定した支持が行えるようにする。平板部材５の厚さを、薄板部材の重ね合わせ等により調整することによって、手すり材１の直径の違いに対応して接続を行うことができるようになる。
【００１８】
手すり材１に固定された接続部材３を、連結杆２の接続端部２１に挿入状態として、ねじ挿通孔２２を通して止めねじ７により固定する。これにより図５に示されるように、手すり材１と連結杆２とは連結状態とされる。
【実施例２】
【００１９】
実施例２は、図１のＹ部の連結、すなわち連結杆２として、図６以降に示すように、手すり材１と手すり材１を床面に支持する支柱が連結される形態である。
【００２０】
本実施例においては、前記の実施例１と同一の部品については同符号を用い、重複する説明は省略する。
【００２１】
図６に示すように、実施例１との相違点は連結杆２、及び接続部材３の形状にある。連結杆２（ここでは支柱）は、角棒状に形成され、上端の接続端部２１が手すり材１の形状に合わせて半円状に切欠かれている。また、接続部材３は、略Ｌ字状の曲げ部材よりなり、短辺側は当接部３２（平坦部３４）とされるとともに、略中央部には固定部材挿通孔３３が設けられ、長辺側は挿入部３１とされ、連結杆２のねじ挿通孔２２の位置に対応してねじ孔が設けられる。
【００２２】
図７に示すように、実施例１と同様、係合部材挿通孔１３に係合部材４を挿入し、ねじ部４１を回転させ、接続部材３を固定部材６のねじ部６１により螺合固定する。更に、連結杆２に接続部材３を挿入し、止めねじ７で固定することにより、図８に示すように手すり材１と連結杆２とは連結状態とされる。
【００２３】
ここまでの説明において、係合部材４を回転するナット部材として記載してきたが、抜け止め片を有するアンカーボルトなどを適宜使用可能である。
【００２４】
以上記したように、手すり材１と連結杆２とを、樹脂の被覆部１２を変形させることなく、安定的に連結することができ、また外観上ねじ等も見えず、外観美麗とすることができる。
【図面の簡単な説明】
【００２５】
【図１】本考案に係る合成樹脂被覆手すりを示す斜視図
【図２】手すり材と連結杆との接続部分を示す断面図
【図３】手すり材と連結杆の連結部を示す分解斜視図（実施例１）
【図４】手すり材と連結杆（手すり材）が連結された状態を示す断面図（実施例１）
【図５】手すり材と連結杆が連結された状態を示す斜視図（実施例１）
【図６】手すり材と連結杆の連結部を示す分解斜視図（実施例２）
【図７】手すり材と連結杆（支柱）が連結された状態を示す断面図（実施例２）
【図８】手すり材と連結杆が連結された状態を示す斜視図（実施例２）
【符号の説明】
【００２６】
１      手すり材
１１    芯材
１２    被覆部
１３    係合部材挿通孔
１４    平板部材収容部
１５    平坦部
２      連結杆
２１    （手すり材との）接続端部
２２    ねじ挿通孔
３      接続部材
３１    挿入部
３２    当接部
３３    固定部材挿通孔
３４    平坦部
４      係合部材
４１    （係合部材の）ねじ部
５      平板部材
５１    接触面
５２    孔部
６      固定部材
６１    （固定部材の）ねじ部
７      止めねじ
Ｃ      洗面台
【図１】
0003141791.tif 000003
【図２】
0003141791.tif 000004
【図３】
0003141791.tif 000005
【図４】
0003141791.tif 000006
【図５】
0003141791.tif 000007
【図６】
0003141791.tif 000008
【図７】
0003141791.tif 000009
【図８】
0003141791.tif 000010